(57)【要約】【課題】液等のモレ防止性能が高く、かつ、吸収体の適度な密着性が維持され臀裂への食い込みが好適に防止された履き心地に優れた使い捨ておむつを提供する。【解決手段】前方部Ａと後方部Ｂとを有し、前記前方部Ａから後方部Ｂにかけて延在する吸収性コア２４を具備し、展開状態で前方部Ａから後方部Ｂに亘る長手方向と、これに直交する幅方向を有する使い捨ておむつであって、前記吸収性コア２４より肌非当接面側に存在する、前記長手方向に延びる臀部第１弾性部材２１と、平面視において、後方部Ｂの前記前方部側から後方部側へ向かうに従い臀部第１弾性部材２１両側から前記幅方向両外側へ離れていく、後方部Ｂに配置された一対の臀部第２弾性部材４１（４１ａ，４１ｂ）とを有し、該臀部第２弾性部材４１は吸収性コア２４上における臀部第１弾性部材２１上では、伸縮性を発現しないようになされている使い捨ておむつ１０。【選択図】図１
2010131196.tif 000002
【特許請求の範囲】
【請求項１】
前方部と後方部とを有し、前記前方部から後方部にかけて延在する吸収性コアを具備し、展開状態で前記前方部から後方部に亘る長手方向と、これに直交する幅方向を有する使い捨ておむつであって、
前記吸収性コアより肌非当接面側に存在する、前記長手方向に延びる臀部第１弾性部材と、平面視において、後方部の前記前方部側から後方部側へ向かうに従い該臀部第１弾性部材両側から前記幅方向両外側へ離れていく、後方部に配置された一対の臀部第２弾性部材とを有し、該臀部第２弾性部材は吸収性コア上における臀部第１弾性部材上では、伸縮性を発現しないようになされている使い捨ておむつ。
【請求項２】
前記臀部第１弾性部材は、着用者の臀裂に沿うように線状に延在する請求項１記載の使い捨ておむつ。
【請求項３】
前記臀部第１弾性部材が着用者の正中面位置で複数本並列して配置されている、請求項１又は２に記載の使い捨ておむつ。
【請求項４】
前記臀部第１弾性部材が着用者の正中面位置で離間して一対の平行線状になるようにされた請求項１又は２に記載の使い捨ておむつ。
【請求項５】
前記臀部第１弾性部材により形成される吸収体ギャザーの伸長率（Ｅｂ）が２０〜２００％である請求項１〜４のいずれか１項に記載の使い捨ておむつ。
【発明の詳細な説明】
【技術分野】
【０００１】
本発明は、使い捨ておむつに関する。
【背景技術】
【０００２】
従来、長手方向一端部の両側部に一対のファスニングテープを有し、該ファスニングテープを長手方向他端部の外面に設けたランディンゾーンに止着して用いる使い捨ておむつ（以下、展開型おむつという）と、ウエスト開口部と一対のレッグ開口部とが予め形成されている使い捨ておむつ（以下、パンツ型おむつという）が広く知られている。これらの使い捨ておむつは、通常着用者の腹側から股下を介して背側にかけた領域に吸収体を有しているが、この吸収体には厚みがあり嵩高くやや硬さがあるため、これを全域にわたり起伏のある着用者の肌面に追従させて適度に密着させることは容易ではない。特に、この種のおむつには胴回り及び腿周りをいくらか締め付けておむつのずれや液等の漏れを防ぐ弾性部材が配置されているが、ここで締め付ける分、逆にその周辺部分では浮きが出やすくなる。具体的に、腿の回りを締め付けるレッグギャザーが足の付け根あたりに食い込むとその分その間の股下の吸収体は肌から浮き易くなる場合がある。さらに左右両方の内腿で挟まれると股下の部分は大きく膨らみ肌から離れる力が働いてしまう。股下部分で吸収体が体から離れると、身体表面を液等の排泄物が伝わり、悪くするとおむつの外方への漏れにつながってしまう。また、液等の漏れが実際に無かったにしても、肌の密着性の低さがその心配感をあおり、着用者に極めて不安定な印象を与える。
【０００３】
おむつのずれ下がりに対する着用者の股間部からの排泄物の漏れを改善するものとして、おむつとは別体の吸収パッド部材をその内部に装着したものがある。例えば、吸収パッドの腹側から股下を介して背側に向かって縦方向に延びる伸縮性弾性部材を配し、この収縮によって吸収性パッドをおむつ本体とは独立して内面から上方へ持ち上げることが知られている（特許文献１参照）。
また、特許文献２には、パンツ型おむつにおいて、後身頃に吸収体を持ち上げることを目的として、おむつ幅方向に連続した後身頃持ち上げ弾性部材を設ける技術が開示されている。特許文献３では、後身頃に左右一対のヒップ弾性部材を胴回り弾性部材と交差させて装着性とズレ落ち防止性を改善したおむつが開示されている。
【特許文献１】特開２００３−６２００９号公報
【特許文献２】特開平１０−１２７６８７号公報
【特許文献３】特開２００５−１６８８３３号公報
【発明の開示】
【発明が解決しようとする課題】
【０００４】
特許文献１の技術は、別体の吸収パッド部材を用いるものであり、上述したおむつ全体の形状を良化しフィット性を向上させるものではない。単に股下から臀裂に沿って縦方向の張力を付与する弾性部材を配しただけでは、例えば、歩くことにより左右の腿が前後する動きを続けたり、長時間着用していて寝返りを打ったりしたときなどに、おしりの割れ目に弾性部材が深く食い込んで強い不快感を与える。言うまでもないが、これを元に戻すためには、おむつに手を差し込み食い込んだ部分を引き戻したり押し広げたりといった極めて煩雑な対応を強いられることともなる。
【０００５】
また、特許文献２、３の技術では後身頃に存在する吸収体を背側へ持ち上げることはできるが、臀裂部分での吸収体の浮きを充分に抑えることは難しい。また、本発明のように、臀裂を抑える技術的な工夫をする際において、特許文献２では後身頃持ち上げ弾性部材がおむつ幅方向に連続して配されており、長手方向の伸縮性阻害に関する配慮がない。
【０００６】
本発明は、上記の従来のおむつ又は吸収パッドを別体として設けるものでは解決されない課題に鑑み、とくに股下での、液等のモレ防止性能が高く、かつ、吸収体の適度な密着性が維持され臀裂への食い込みが好適に防止された履き心地に優れた使い捨ておむつの提供を目的とするものである。
【課題を解決するための手段】
【０００７】
本発明は、前方部と後方部とを有し、前記前方部から後方部にかけて延在する吸収性コアを具備し、展開状態で前記前方部から後方部に亘る長手方向と、これに直行する幅方向を有する使い捨ておむつであって、
前記吸収性コアより肌非当接面側に存在する、前記長手方向に延びる臀部第１弾性部材と、平面視において、後方部の前記前方部側から後方部側へ向かうに従い該臀部第１弾性部材両側から前記幅方向両外側へ離れていく、後方部に配置された一対の臀部第２弾性部材とを有し、該臀部第２弾性部材は臀部第１弾性部材上では伸縮性を発現しないようになされている使い捨ておむつを提供することにより、上記目的を達成したものである。
【発明の効果】
【０００８】
本発明の使い捨ておむつは、おむつの吸収体部分が着用者の股間部分に的確にフィットし易く、液等の排泄物のおむつの外方への漏れを防止することができ、着用者に高い安心感を与える。また、上記の良好な股間部でのフィット性を実現し、しかも歩くことにより左右の腿が前後する動きを続けたり、長時間着用していて寝返りを打ったりしたときなどであっても、おしりの割れ目に深く食い込みすぎることを防止することができる、優れた履き心地を両立して実現する。
【発明を実施するための最良の形態】
【０００９】
以下、本発明をその好ましい一実施形態に基づき図面を参照しながら説明する。
図１は、本発明の第一の実施形態のおむつ１０を肌当接面側から見た伸展状態の展開平面図である。おむつ１０は、長手方向に二等分した際に着用者前側に位置する前側部Ａと後側に位置する後側部Ｂとに区分される。より細かくは、股下中間部Ｃを主に画成する吸収性本体２と腹側の腹側部Ｆ及び背側の背側部Ｒを主に画成する外装体３を備えている。図１では、吸収性本体２の重ねられた部材の一部を少しずつ破断した状態で表示してある。
【００１０】
吸収性本体２は、液透過性の表面シート２２、液不透過性の裏面シート２３、及びこれら両シート２２，２３間に介在された吸収性コア２４を具備してなる。
吸収性本体２は、平面視形状が長方形状であり、図１においては、おむつの長さ方向（Ｙ方向）に長い形状を有している。吸収性コア２４は、長方形状の裏面シート２３及び長方形状の表面シート２２により挟持・固定されている。吸収性コア２４は、展開状態の平面視において図示したもののような、砂時計形状、すなわち長手方向（Ｙ方向）の両側の幅の広い部分に対して、その中間に介在する括れた部分が穏やかに内方に張り出す逆円弧状となっている。吸収性コア２４のおむつ幅方向（Ｘ方向）の中心である正中面切断線（着用時に着用者の臀裂に沿って延びる線に対応する直線に相当する）Ｐ１は吸収性コア２４の上記の括れた部分において、着用者の尿排泄対応領域Ｑ１、Ｑ２（男性の場合は領域Ｑ１、女性の場合は領域Ｑ２）から排便対応領域Ｑ３に沿うようにされる。このようにして、着用時には、吸収性コア２４は着用者のおよそ下腹部から臀部にかけて股間を介して沿わされる。
【００１１】
股下中間部Ｃを主に画成する吸収性本体２には、吸収性コア２４より肌非当接面側に吸収性コア２４の中央でその長手方向（Ｙ方向）に延びる臀部第１弾性部材２１が配置され、吸収体ギャザーを形成している。本実施形態では、４本の弾性部材が幅方向（Ｘ方向）に、ほぼ並列に設置されており、着用時に伸長状態で設置された臀部第１弾性部材２１が収縮することにより、おむつの股下部が着用者の臀裂に合わせるように引き上げられ、おむつ１０と着用者の股間とが密着することになる。なお、図１中、Ｐ２は臀溝線（着用時に着用者の臀溝に対応する部分を直線状に示したもの。）を示す。
【００１２】
吸収性本体２のおむつ幅方向（Ｘ方向）の両側縁部は着用時に防漏カフとなる立体ギャザーを形成する立体ギャザー用弾性部材４４が配されている。この立体ギャザー用弾性部材４４の張力（伸縮応力）により、排泄物の漏れ防止性能を高めている。
【００１３】
環状外装体３は、背側部Ｒから股下部Ｃを通り、腹側部Ｆまで亘って存在しており、股下部においては背側部Ｒ及び腹側部Ｆよりも幅が狭くなっている。そして、背側部Ｒを画成する背側部位３１に背側部位３１のおむつ幅方向（Ｘ方向）の外方端部に設けられたファスニングテープ５を有する。そして、おむつ幅方向（Ｘ方向）の中央部付近で外装体３と吸収性本体２とが着接されている。このようにして、本実施形態のおむつ１０は全体において、背側部Ｒと腹側部Ｆとこの両部に介在された股下中間部Ｃとに区画される。
【００１４】
本実施形態においては、外装体３が不織布などの２枚のシートから形成され（図では１枚のものとして示している。）、外装体３の背側部位３１における上記逆さ台形の臀部対応部の両側方には、２枚のシート間に、着用者股下部付近においては幅方向に伸縮性を有するよう、かつ着用者の背後から見て背丈方向に上開き（逆「八」の字）状になるように、配設された左右一対の臀部第２弾性部材４１ａ、４１ｂを有している。言い換えると臀部第２弾性部材は、後方部Ｂにおいてその伸縮性を発現する一端を第１臀部弾性部材の側部に位置し、平面視したときに、股下中間部Ｃから背側部Ｒの縁部へ向かうに従い、臀部第１弾性部材の両側から、おむつの幅方向両外側へ離れていくように配されている。この構成によって、臀部第２弾性部材は吸収体上における臀部第１弾性部材上では、伸縮性を発現しないようになされている。なお、ここで「伸縮性を発現しないように」とは、臀部第２弾性部材が伸縮性を発現しないように存在している場合と、臀部第２弾性部材が存在しないことによって伸縮性を発現しない場合とを含む。この左右一対の臀部第２弾性部材４１ａ、４１ｂからなる臀部第２弾性部材４１が着用時に着用者の臀部のでっぱりに合わせて適度な張力（伸縮応力）を発揮して、ヒップギャザーをなし、とりわけ弾性部材４１の臀溝部分から背丈方向の上方にかけておしりの左右のやや下方で張り出したふくらみを両側からつつみ、軽く引き上げるようにして良好にフィットする。そして、左右に配された各臀部第２弾性部材４１ａ、４１ｂは互いに、臀部第１弾性部材と重ならないようにしてオムツ幅方向中央において離間しているので、臀部第１弾性部材のおむつ長手方向への伸縮性阻害が小さく、吸収体浮きを減らすと共に臀裂での装着感も良好である。しかも、本実施形態では臀部第２弾性部材が吸収性コア２４上においては、伸縮性を発現しないように処理されているので、吸収性コアを幅方向に縮める力が働かず、吸収性コアに皺がよらないので、装着感がより良好となり、かつ吸収体側部に引き上げ力を集中させることができるので、吸収性コア２４側部と着用者との間に隙間が生じにくくなり、防漏性を高めることもできる。吸収性コア２４上で臀部第２弾性部材４１の伸縮性を発現しないように処理する方法として、従来から知られている技術を用いて行うことができ、例えば、弾性部材を伸長状態で細かく切断したり、弾性部材を固定するためのホットメルト接着剤を塗工せずに弾性体を自然長まで縮めたり、弾性体を熱シールして伸縮性をなくしたりする方法が使用できる。
【００１５】
本実施形態において、外装体３は、胴回り方向に沿ってウエスト弾性部材４２および胴回り弾性部材４３を伸長状態で固定している。この弾性部材４２、４３が着用状態で適度に胴回り方向に伸縮してウエストギャザーおよび胴回りギャザーを形成しながら、着用者の胴回りにフィットして、着用時におむつ１０を着用者に密着させる。
【００１６】
外装体３の背側部位３１のおむつ幅方向（Ｘ方向）の外方端部には、ファスニングテープ５が設けられている。このファスニングテープ５は、基材シート５ａのさらに肌面側に面状ファスナー５ｂが取り付けられており、上記面状ファスナー５ｂのある耳Ｍの部分がＸ方向に突出した構造となっている。ファスニングテープ５の基材シート５ａは、例えば、不織布や不織布と樹脂フィルムの積層体等から構成することができる。面状ファスナー（オス部材）は、鉤状ないしキノコ状の微小突起を係着面５ｉに密集して設けた構造のものが挙げられる。具体的には、メス部材に対して着脱自在に止着可能である通常の機械的面ファスナーを用いることができる。面状ファスナー５ｂを係着させる相手側部材は、通常の不織布でよく、例えばループ状ないし捲縮した繊維面を有する布材等を用いることができる。
【００１７】
外装体３と吸収性本体２との固定方法は、特に限定されるものではなく、外装体３と重なっている部分の所定の領域の全領域で、接着剤等により固定したり、吸収性本体２の周縁部のみにおいて、両者を接合したり、吸収性本体２の幅方向の中央部のみ又は両端部のみで両者を接合することもできる。
また、本実施形態においては、吸収性本体２の前身頃側Ｆのおむつ幅方向（Ｘ方向）の中央部に外面に、上記の外装体３と同様の、ウエスト弾性部材４２を腹側上端部側に備えた不織布からなるランディング部材６が接着剤等で接着・固定されている。
これらの接着・固定には、接着剤に代えて、例えば、ヒートシール、超音波シール等を用いることができる。
【００１８】
外装体３のファスニングテープ５を除くサイドフラップ部の側縁部にはレッグギャザー用弾性部材４５が配されている。このレッグギャザー用弾性部材４５の張力（伸縮応力）により、着用時には着用者足回りに良好なレッグギャザーを形成しながら、適度に締め付けて包み込むようにしてレッグ開口部Ｌｏを形成し、着用者の大腿ないし足の付根のあたりにフィットするとともに排泄物の漏れ防止性能を高めている。
【００１９】
図２は、図１におけるＺ−Ｚ線断面を模式化して示す断面図である。本実施形態では、図２に示されるように、吸収性本体２は裏面シート２３を備えており、吸収性コア２４と裏面シート２３の間に臀部第１弾性部材２１を伸長可能に配されている。このため、臀部第１弾性部材２１により形成される吸収体ギャザーと、外装体３に設けられた臀部第２弾性部材４１により形成されるヒップギャザーとは、おむつ１０において、両者の弾性力が作用しあい実質的に同一平面上に形成されている。他方、臀部第１弾性部材２１は立体ギャザーＧをなす立体ギャザー用弾性部材４４とは異なる平面に形成されており、防漏性を阻害することなく、お互いの機能を満たすように構成することができる。
なお、臀部第１弾性部材２１の配置位置は、吸収性コア２４と裏面シート２３の間に限定されるものではなく、例えば、裏面シート２３の外側に弾性部材保持用シートを設けて、裏面シート２３と弾性部材保持用シートの間に臀部第１弾性部材２１を設けても良い。
なお、図２に示す符号で、特に言及しないものは、図１に示すもので同じ意味である（以下に説明する図面においても、それ以前の図面で説明した符号については、説明を省略することがある。）。
【００２０】
本実施形態のおむつ１０においては、ランディング部材６の外面の不織布は、ファスニングテープ５の面状ファスナー５ｂと係合可能な、機械的面ファスナーのメス部材とになっている。装着時には、ファスニングテープ５の面状ファスナー５ｂを、着用者の胴回り等にフィットする位置で、ランディング部材６の外面に止着する。
図３は、図１に示す展開型の使い捨ておむつ１０の着用時の形状を示す、着用者腹側から見た斜視図である。ファスニングテープ５の面状ファスナー５ｂをランディング部材６の外面に止着することで、着用者の背丈方向上側において、環状のウエスト開口部Ｗｏを形成するとともに、着用者の足周りに左右一対のレッグ開口部Ｌｏが形成され、全体としてパンツ形状を形成する。また、着用状態では上記前方部Ｆと後方部Ｒとが連結され胴回り部Ｄを構成し、股下に沿わされるよう股下中間部Ｃが垂設されたものとなる。
【００２１】
本実施形態では、図１の展開平面図に示されるように、４本の全ての臀部第１弾性部材２１が、着用時に正中面切断線Ｐ１で示される着用者の臀裂に沿って伸びるように、吸収性本体２の幅方向中央部に存在し、全体において機能的にまとまった線状になっている。このように、臀部第１弾性部材２１を全体において線状とすることで着用者の排尿部付近に吸収性本体をより近づけることができ、吸収体に尿が素早く吸収されるため、排尿した時の漏れを防止することができる。ここで幅方向中央の範囲とは特に限定されず、正中面切断線Ｐ１から幅方向（Ｘ方向）に臀部第１弾性部材の作用が範囲として機能的に定められればよい。
【００２２】
図４は、本発明の別の好ましい実施形態の使い捨ておむつ２０を示す展開平面図である。このように臀部第１弾性部材２１は、着用者の正中面切断線Ｐ１を挟むようにして、幅方向の両サイド部に２本ずつ離間して一対の平行線状となされている。このように、臀部第１弾性部材２１を離間して一対の平行線状とする実施形態とすることで着用者の股間部付近に吸収性本体をより近づけることができ、股間部の隙間が小さくなるために、排尿した時の股間部からの漏れを防止することができる。この場合、臀部第２弾性部材４１のおむつ内側に位置し、且つ伸縮性を発現する端部（内端部）は、吸収性コアに皺がよらず、且つ臀部第１弾性部材２１のおむつ長手方向への伸縮性がなるべく阻害されないように、吸収性コアの幅方端部にすることが好ましい。
【００２３】
図５は、図１のおむつを装着した状態における各弾性部材の伸縮性をモデル化して説明するための着用者背側から見た概略斜視図である。
図５に示されるように、臀部第１弾性部材（臀裂フィット性弾性部材）２１の収縮により、臀裂線Ｐ１方向で上方に向かう張力ｆ１が働き引っ張ることで、おむつ１０と着用者６の股間部との隙間が少なくなる。これにより、臀部第１弾性部材がなかった従来のものに対して、この部分の隙間からの排泄物の液漏れを防止する性能と適切にフィットすることによる着用時の安心感が格段に向上する。しかも本実施形態のおむつにおいては、図示されるように、臀部第２弾性部材（臀溝フィット性弾性部材）４１（４１ａ，４１ｂ）が臀溝の部分から左右に延び、おしりの両わきの上の方まで包み込みながら支えるように配設されたため、とくにおしりのやや下の方で左右に膨らみある部分を軽く持ち上げるようにして、おむつの背側部位がしっかりと余計な隙間をあけずにフィットする。そして、さらに、この臀部第２弾性部材４１が臀溝線Ｐ２に沿って左右に延び、幅方向外側に向けた張力ｆ２ａおよびｆ２ｂが働き両側に開くように引っ張ることで、着用者が歩いたり寝返りを打ったときに、臀裂に臀部第１弾性部材２１が入り込みすぎて履き心地が悪くなってしまうことを効果的に防ぐことができる。すなわち、臀部第１弾性部材２１の張力ｆ１と臀部第２弾性部材４１の張力ｆ２ａ、ｆ２ｂとが相互に作用して、おむつの下方全体の形状が着用者の臀部の凹凸形状と好適にフィットするようになり、しかもおしりの割れ目部分に弾性部材が食い込むことはないか、あっても極めて小さく、モレ防止性能と長時間着用するときの履き心地の良さとを両立できる。
【００２４】
本実施形態では、上述のように外装体３の背側部位３１は、着用者の臀部を覆う股下にかけて十分幅広にされ、その背側部位３１の両側方には着用者の背後から見て側面方向に上開き、つまり逆「八」の字状になるように配置された左右一対の臀部第２弾性部材４１（４１ａ、４１ｂ）を有する。また、図５において、上述のように臀部第１弾性部材２１の収縮によって働く力の方向を矢印ｆ１で示し、臀部第２弾性部材４１ａ、４１ｂの収縮によって働く力の方向を矢印ｆ２ａ、ｆ２ｂでそれぞれ示してある。力ｆ１は臀裂線Ｐ１に沿った方向に作用し、ｆ２ａおよびｆ２ｂは臀溝線Ｐ２に沿った方向に作用する。ｆ２ａとｆ２ｂは、臀部第２弾性部材４１を設置するときの伸長率を等しくすることで等しくなる。力ｆ１、ｆ２ａ、およびｆ２ｂは、吸収体ギャザー及びヒップギャザーを以下に示す伸長率に設定することで、バランスよく組み合わされ、上述した程よい装着感を生み出すフィット性を発揮することができる。
【００２５】
また、臀部第１弾性部材２１により形成される吸収体ギャザーの伸長率（Ｅｂ）は、２０〜２００％であることが好ましく、３０〜１００％がさらに好ましい。吸収体ギャザーの伸長率を上げる方法としては、弾性部材の繊度、弾性部材の本数、弾性部材の伸長率の向上などの手段を用いることができる。また、臀部第２弾性部材４１により形成されるヒップギャザーの伸長率は３０〜３００％であることが好ましく、５０〜１００％がさらに好ましい。尚、臀部第２弾性部材４１の伸長率とは、伸縮性を発現する部位のことであり、例えば、本明細書で説明した各実施形態においては、吸収性コア上以外の部位での値である。ここでいう吸収体ギャザー、及びヒップギャザーの伸長率（Ｅｂ）とは、伸縮部における自然に収縮した状態のある長さを（Ａ）とし、ギャザーを伸び止まりするまで引き伸ばした時の長さを（Ｂ）としたとき、（（Ｂ）−（Ａ））／（Ａ）で算出される百分率（％）と定義する。
【００２６】
本発明の使い捨ておむつの各構成材料としては、通常用いられている各種の材料を特に制限なく用いることができる。例えば、肌に接触する部位に使用するシート材は、肌触りの良い材料、不織布や布等であることが好ましい。吸収性コアとしては、例えば、解繊パルプや捲縮アセテート繊維等の繊維からなる繊維集合体や、繊維集合体に吸水性ポリマーを保持させてなるものが好ましい。上記の各弾性部材の材料としては、吸収性物品に用いられる通常の弾性材料を用いることができ、例えば素材としては、スチレン−ブタジエン、ブタジエン、イソプレン、ネオプレン等の合成ゴム、天然ゴム、ＥＶＡ、伸縮性ポリオレフィン、ポリウレタン等を挙げることができ、形態としては、断面が矩形、正方形、円形、多角形状等の糸状ないし紐状（平ゴム等）のもの、或いはマルチフィラメントタイプの糸状のもの等を用いることができる。機械的ファスナーのオス部材及びメス部材としては、公知の機械的ファスナー、例えば「マジックテープ（登録商標）」（クラレ社製）、「クイックロン（登録商標）」（ＹＫＫ社製）、「マジクロス（登録商標）」（カネボウベルタッチ社製）等におけるオス部材及びメス部材を用いることができる。また、吸収性本体２の外面を、機械的ファスナーのオス部材を直接係合可能な材料、例えば係合性に富む不織布から構成することにより、これをランディング部材６の代わりに用いることもできる。
【００２７】
上記実施形態ではテープ止めおむつを例に挙げて説明したが、本発明は図６に示すようにパンツ型おむつであってもよい。図６の実施形態においては、上述した図１に示すテープ止めおむつの構成において、先方部Ｆのサイドフラップ部分と後方部Ｒのファスニングテープ部５を除いたサイドフラップ部分とを合掌状に重ね合わせて熱溶融手段等によって接合し一対のサイドシール部４６を形成することによってパンツ型おむつが３０構成されている。
【００２８】
本発明の使い捨ておむつは、上述した実施形態に制限されず、本発明の趣旨を逸脱しない範囲で種々変更が可能である。例えば、機械的面ファスナーに代えて、粘着剤を塗工して形成した粘着部を設けることもできる。本発明の使い捨ておむつは、成人用に適しているが、幼児用であってもよい。また、上記形態は、テープ止めの展開型おむつで説明したが、パンツ型おむつであってもよい。
【実施例】
【００２９】
以下、本発明を実施例にさらに詳細に説明するが、本発明はこれに限定されるものではない。
【００３０】
［実施例１］
図６に示す形態のパンツ型使い捨ておむつを製造した。用いた４本の臀部第１弾性部材２１により形成された吸収体ギャザーの伸長率（Ｅｂ）は７０％であり、各２本の臀部第２弾性部材４１を、吸収性コア上では、細かく切断することで、その伸縮性を発現しないように処理し、吸収性コア上以外で伸縮性を発現するように形成された左右それぞれのヒップギャザーの伸長率は９０％であった。
【００３１】
［実施例２］
臀部第１弾性部材２１を図４に示すようにサイド部に２本ずつ配設した以外は、実施例１と同様にして使い捨ておむつを製造した。
【００３２】
［参考例１］
臀部第１弾性部材を設けなかった以外は、実施例１と同様にして、パンツおむつを製造した。
【００３３】
［参考例２］
臀部第２弾性部材を設けなかった以外は、実施例１と同様にして、使い捨ておむつを製造した。
【００３４】
［股間部フィット状態評価］
図７の模式的な正面図による説明図で示すように、モデル人形６１に、実施例１〜２および参考例１〜２の使い捨ておむつ６２を装着させ、股間窪部から、垂直方向のおむつ外装体表面までの距離Ｌを測定した。各測定に退いて、おむつ６２の上端６３は、人形の同一の位置となるようにした。結果を表１に示す。
【００３５】
［装着感評価］
被験者に、実施例１〜２および参考例１〜２のおむつを装着してもらい、その履き心地を評価した。臀裂部または、股間部に吸収体ギャザーによる食い込みが無いか、あっても極めて小さく、装着感が良かったものを「○」、臀裂部または、股間部に吸収体ギャザーによる食い込みが有り、装着中違和感を生じたものを「×」により評価した。
【００３６】
［液漏れ防止性評価］  
排尿ポイント６５を設けたモデル人形６６に、パンツ形状の実施例１〜２および参考例１〜２のおむつ６７を装着させ、モデル人形６６を傾斜角度３０度に傾けた。図８は、このときの状態を股下側から見た説明図である。モデル人形６６に設けられた排泄ポイント６５から、生理食塩水を、排泄量５０ｇ／回、排泄速度５ｇ／ｓで排泄させた。この排泄を５分間隔で繰り返した後、おむつから生理食塩水が漏れるまでの総排泄量からもれた量を差し引くことにより、液吸収量を測定した。なお、試験は２５℃で行った。
結果を表２に示す。なお、液吸収量の単位はｇである。
【００３７】
【表１】
2010131196.tif 000003
【００３８】
【表２】
2010131196.tif 000004
【００３９】
表１および２から示されるように、実施例１および２では、臀部第１弾性部材および臀部第２弾性部材を設けたことにより、おむつとモデル股間との距離（Ｌ）は短くて、十分な吸収量が得られかつ、臀部割れ目や股間部に弾性部材がくい込むことが抑制され、履き心地に優れ、優れた漏れ防止性と装着感を両立することができた。
【図面の簡単な説明】
【００４０】
【図１】本発明の好ましい一実施形態としての使い捨ておむつ（テープ止めおむつ）を肌当接面側からみた状態を示す展開平面図である。
【図２】図１のＺ−Ｚ線模式断面図である。
【図３】図１のおむつの着用した状態を、腹側から見た斜視図である。
【図４】本発明の別の好ましい実施形態としての使い捨ておむつの展開平面図である。
【図５】図１のおむつを装着した状態を、背側から見た概略斜視図である。
【図６】本発明の別の好ましい一実施形態としての使い捨ておむつ（パンツ型おむつ）の着用した状態を、腹側から見た斜視図である。
【図７】実施例の股間部フィット状態評価試験の説明図である。
【図８】実施例の液漏れ防止性評価試験の説明図である。
【符号の説明】
【００４１】
１０、２０、３０  使い捨ておむつ
２  吸収性本体
３  外装体
５  ファスニングテープ
６  ランディング部材
７  人体
２１  臀部第１弾性部材
２２  表面シート
２３  裏面シート
２４  吸収性コア
３１  背側部位
４１  臀部第２弾性部材
４２  ウエスト弾性部材
４３  胴回り弾性部材
４４  立体ギャザー用弾性部材
４５  レッグギャザー用弾性部材
４６  サイドシール部
６１  モデル人形
６２  使い捨ておむつ
６５  排尿ポイント
６６  モデル人形
６７  使い捨ておむつ
【図１】
2010131196.tif 000005
【図２】
2010131196.tif 000006
【図３】
2010131196.tif 000007
【図４】
2010131196.tif 000008
【図５】
2010131196.tif 000009
【図６】
2010131196.tif 000010
【図７】
2010131196.tif 000011
【図８】
2010131196.tif 000012